(57)【要約】【課題】指に装着してタッチパネルを操作するための指サックであって、精密な操作が可能であるものを提供すること。【解決手段】指サック１は、指先から指の腹のうちの少なくとも一部を覆う本体２及び本体２に設けられた芯部材３を備え、本体２と芯部材３との少なくとも一方はタッチパネルに反応する誘電率（２以上の比誘電率）を有する。芯部材は指に比して細径であり、タッチパネルの操作位置を精密に指定することができる。これにより、指先から指の腹のうちの少なくとも一部により芯部材３を支持して、タッチパネルを、直接指を触れることなく、精密に操作することが可能となる。【選択図】図１
2018018409.tif 000002
【特許請求の範囲】
【請求項１】
指に装着してタッチパネルを操作するための指サックであって、
指先から指の腹のうちの少なくとも一部を覆う本体と、前記本体に付設される芯部材とを備え、
前記芯部材は、柱体状又は柱体の一端又は両端を円滑化したカプセル体状であり、前記柱体に外接する円柱の径は４〜８ｍｍであり、前記一端が前記本体の表面側に突出し、
前記本体と前記芯部材との少なくとも一方は２以上の比誘電率を有することを特徴とする、指サック。
【請求項２】
前記芯部材の前記一端と反対側の他端が、前記本体の裏面側に突出することを特徴とする、請求項１に記載の指サック。
【請求項３】
前記本体は孔部を有し、
前記芯部材は、前記一端を前記本体の表面側に突出して前記孔部に嵌め込まれ、２以上の比誘電率を有することを特徴とする、請求項１又は２に記載の指サック。
【請求項４】
前記孔部は、前記本体の指先から指の腹を覆う部分に複数設けられていることを特徴とする、請求項３に記載の指サック。
【請求項５】
前記孔部は、前記本体の指先から指の腹を覆う部分に延設されていることを特徴とする、請求項３に記載の指サック。
【請求項６】
前記本体は、指先から指の腹を覆う部分に延びる空間を有し、
前記芯部材は、前記空間内に付設されていることを特徴とする、請求項１又は２に記載の指サック。
【請求項７】
前記本体の空間内に充填材が充填されていることを特徴とする、請求項６に記載の指サック。
【発明の詳細な説明】
【技術分野】
【０００１】
本発明は、指に装着してタッチパネルを操作するための指サックに関する。
【背景技術】
【０００２】
スマートフォン、タブレット端末等の表示画面に指先によりタッチすると、表示画面上に設けられたタッチパネルがタッチ操作を検出する。ここで、指先で直接、表示画面に触れると画面に指紋が付着して汚れる、特に指が大きい場合に微細な操作が困難である、力を入れて操作することで腱鞘炎を生じるといった問題がある。指先に代えてタッチペンを用いることでこれらの問題の幾つかを解消することは可能であるが、複数の指を用いてのジェスチャ操作ができないという別の問題がある。そこで、例えば特許文献１には、指に装着してタッチパネルを操作するための指サックが開示されている。
【０００３】
しかし、特許文献１に開示された指サックは、タッチパネルを指で操作するものであり、使用者の指が大きい場合には、精密な操作を行うことができない。特にスマートフォンを操作する場合には、表示画面の面積が小さいため、指の大きさ（タッチパネルに接触する面積）が大きいことに起因して、精密な操作が困難となってしまう。
【先行技術文献】
【特許文献】
【０００４】
【特許文献１】特開２０１２−１９４７５０号公報
【発明の概要】
【発明が解決しようとする課題】
【０００５】
本発明は、指に装着してタッチパネルを操作するための指サックであって、精密な操作が可能であるものを提供することを課題とする。
【課題を解決するための手段】
【０００６】
本発明の指サックは、
指に装着してタッチパネルを操作するための指サックであって、
指先から指の腹のうちの少なくとも一部を覆う本体と、前記本体に付設される芯部材とを備え、
前記芯部材は、柱体状又は柱体の一端又は両端を円滑化したカプセル体状であり、前記柱体に外接する円柱の径は４〜８ｍｍであり、前記一端が前記本体の表面側に突出し、
前記本体と前記芯部材との少なくとも一方は２以上の比誘電率を有することを特徴とする。
【０００７】
この特徴によれば、本体及び芯部材を備える指サックを指に装着してタッチパネルに触れる指先から指の腹のうちの少なくとも一部を覆い、その一部を覆う本体に芯部材が設けられ、本体と芯部材との少なくとも一方はタッチパネルに反応する誘電率（２以上の比誘電率）を有することで、指先から指の腹のうちの少なくとも一部により芯部材を支持して、これによりタッチパネルを、直接指を触れることなく操作することが可能となる。また、芯部材は指に比して細径であり、タッチパネルの操作位置を精密に指定することができる。
【０００８】
本発明の指サックは、
前記芯部材の前記一端と反対側の他端が、前記本体の裏面側に突出することを特徴とする。
【０００９】
この特徴によれば、芯部材を指先で感じつつ操作することができる。芯部材の一端がタッチパネルに接触すると、タッチパネルからの応力が芯部材を介して指先に伝達されるので、タッチパネルへの接触を確実に把握することができる。
【００１０】
本発明の指サックは、
前記本体は孔部を有し、
前記芯部材は、前記一端を前記本体の表面側に突出して前記孔部に嵌め込まれ、２以上の比誘電率を有することを特徴とする。
【００１１】
この特徴によれば、孔部によって芯部（タッチパネルに接触する部分）の指に対する位置を定めることができる。
【００１２】
本発明の指サックは、
前記孔部は、前記本体の指先から指の腹を覆う部分に複数設けられていることを特徴とする。
【００１３】
この特徴によれば、ユーザは、自己の好みに応じて孔部（芯部の位置）を選択することができる。
【００１４】
本発明の指サックは、
前記孔部は、前記本体の指先から指の腹を覆う部分に延設されていることを特徴とする。
【００１５】
この特徴によれば、ユーザは、延設された孔部の任意の箇所を自己の好みに応じて選択することができる。
【００１６】
本発明の指サックは、
前記本体は、指先から指の腹を覆う部分に延びる空間を有し、
前記芯部材は、前記空間内に付設されていることを特徴とする。
【００１７】
この特徴によれば、孔部を設けずに、ユーザの好みに応じた位置に芯部を配することができる。
【００１８】
本発明の指サックは、
前記本体の空間内に充填材が充填されていることを特徴とする。
【００１９】
この特徴によれば、空間内で、芯部の位置を安定させることができる。ここで、「充填材」は、ゲルを用いることができる。また、ゲル以外の流体や粒状の固体を用いることもできる。
【発明の効果】
【００２０】
本発明の指サックによれば、指に装着してタッチパネルを操作するための指サックであって、精密な操作が可能であるものを提供することが可能となる。
【図面の簡単な説明】
【００２１】
【図１】図１は、指サックの構成を示す図である。（実施例１）
【図２】図２は、孔部の構成を示す図である。（実施例１）
【図３】図３は、芯部の構成を示す図である。（実施例１）
【図４】図４は、指サックの構成を示す図である。（実施例２）
【発明を実施するための形態】
【００２２】
以下、本発明の実施例について説明する。
【実施例１】
【００２３】
図１は、指サックの構成を示す図である。指サック１は、指に装着してタッチパネルを操作するための道具であり、本体２及び芯部材３を含んで構成される。
【００２４】
本体２は、指を覆う袋状の部材であり、ゴム等を用いて柔軟に構成することができる。本体２は、図１（Ａ）に示すように指全体を覆うものとしてもよく、図１（Ｂ）に示すように指通し部２ａに指を通して指先（タッチパネルに接触する部分）のみを覆うものとしてもよい。
【００２５】
本体２には、孔部２ｃが設けられ、芯部材３が孔部２ｃに嵌め込まれている。これにより、芯部材３の指に対する相対的な位置が固定される。
【００２６】
孔部２ｃは、芯部材３の位置を定めるが、その位置については、ユーザの嗜好によって変動する。そこで、１のみの固定された位置でないようにすることもできる。
【００２７】
図２は、孔部の構成を示す図である。図１（Ａ）におけるＳ方向から指サック１を見た図である。図１においては、図２（Ａ）に示すように、１のみの孔部２ｃが設けられていた。
【００２８】
図２（Ｂ）に示すように、複数の孔部２ｃ１、２ｃ２、２ｃ３を設けてもよい。孔部２ｃ２が標準的な位置であるが、ユーザは、芯部材３（タッチパネルに接触する箇所）を指先側に寄せることを好む場合には孔部２ｃ１に芯部材３を嵌め込むことができ、指元側に寄せることを好む場合には孔部２ｃ３に芯部材３を嵌め込むことができる。
【００２９】
図２（Ｃ）に示すように、孔部２ｃを細長くして延設してもよい。孔部２ｃの幅が小さく、芯部材３を嵌め込んで保持することができるものとする。ユーザは、孔部２ｃの任意の箇所に芯部材３を嵌め込むことができる。
【００３０】
芯部材３は、タッチパネルにタッチしてこれを操作するための部材である。芯部材３は、例えば樹脂など、本体２を構成する素材より硬質の素材を用いて、直径４〜８ｍｍの円柱体状或いは円柱体の一端又は両端を円滑化したカプセル体状に形成することができる。また、円柱でなく、４角柱、６角柱、その他任意の柱体状、その一端又は両端を円滑化したカプセル体状に形成することもできる。円柱以外の柱体形状とするときは、その柱体の外接円柱の直径を４〜８ｍｍとすることが好ましい。
【００３１】
芯部材３は、指先よりも細く、タッチパネルの接触箇所を、より精密に定めることができる。
【００３２】
芯部材３は、タッチパネルに接触するので、その比誘電率は、静電容量タッチパネルに反応する２以上の値とする。
【００３３】
図３は、芯部の構成を示す図である。図１においては、図３（Ａ）に示すように、一端が球状に円滑化された先端３ａであり、他端３ｂは円滑化されていない円柱体であった。ここで、円柱の直径Ｗは、４〜８ｍｍ、好ましくは５〜６ｍｍである。
【００３４】
円滑化された先端３ａがタッチパネルに接触するが、円柱の直径Ｗよりも細い箇所がタッチパネルに接触し、接触位置を精密にすることができる。
【００３５】
図３（Ｂ）に示すように、両端を円滑化してもよい。他端３ｂは指に接触するが、指への接触面積はユーザの好みに対応して設計してよい。
【００３６】
図３（Ｃ）に示すように、両端ともに円滑化しなくてもよい。先端３ａの直径Ｗの部分がタッチパネルに接触するが、指よりも接触位置が精密である。
【００３７】
芯部材３は、円柱以外の柱体に基づいてもよい。図３（Ｄ）は図３（Ａ）におけるＴ方向から芯部材３を見た図であるが、このように４角柱としてもよい。６角柱等の他の形状も可能である。芯部材３の直径としては、図に点線で示す外接円の直径を４〜８ｍｍとすることが好ましい。
【００３８】
以上詳細に説明したように、本実施例の指サック１は、直径４〜８ｍｍの円柱体状、又はそれよりも細い先端３ａを有するカプセル体状の芯部材３を備え、芯部材３がタッチパネルと接触して、精密な操作が可能となる。
【実施例２】
【００３９】
図４は、指サックの構成を示す図である。指サック１は、実施例１と同様であるが、孔部２ｃが設けられておらず、本体２が、少なくとも芯部材３の箇所において２枚になってあり、空間２ｂが設けられている。
【００４０】
芯部材３は、空間２ｂにおいて、両端を本体２に支えられて固定される。ユーザは、好みに応じて、芯部材３を、空間２ｂ内の任意の箇所に配して使用することができる。
【００４１】
芯部材３が本体２を挟んでタッチパネルに接触するので、本体２及び芯部材３の全体として、タッチパネルに反応する誘電率を有することとする。タッチパネルに直接に接触する本体２が静電容量タッチパネルに反応する２以上の比誘電率を有すればよい。本体２が薄いことに鑑みれば、本体２が特に絶縁性のものでない限り、芯部材３が２以上（好ましくは３以上）の比誘電率を有することでもよい。
【００４２】
空間２ｂには、ゲル４を充填し、芯部材３が移動しにくいようにして、さらに安定して芯部材３を固定することができる。なお、ゲル以外の流体や粒状の固体を用いることもできる。
【００４３】
以上詳細に説明したように、本実施例の指サック１は、細径の芯部材３がタッチパネルと接触して、精密な操作が可能となり、かつ、空間２ｂに芯部材３を入れることで、本体２によって芯部材が幅広い箇所にユーザの嗜好に合わせて固定できる。
【産業上の利用可能性】
【００４４】
指に装着してタッチパネルを操作するための指サックであって、精密な操作が可能であるものである。多くのタッチパネル付端末装置（スマートフォンを含む）のユーザによる利用が考えられる。
【符号の説明】
【００４５】
１    指サック
２    本体
２ａ  指通し部
２ｂ  空間
２ｃ  孔部
３    芯部材
３ａ  一端（先端）
３ｂ  他端
４    ゲル
【図１】
2018018409.tif 000003
【図２】
2018018409.tif 000004
【図３】
2018018409.tif 000005
【図４】
2018018409.tif 000006